(57)【要約】【課題】秘匿情報の読み上げに起因する当該秘匿情報の漏洩を防止することが可能な技術を提供する。【解決手段】コンテンツＣ１０が各表示装置（たとえば外部端末５０ａ，５０ｃ）にて表示される際に、当該コンテンツＣ１０を区分した複数の部分コンテンツＰ１１〜Ｐ１３に含まれる情報の表示の有無が、外部端末５０ａ，５０ｃの所持ユーザＵ１，Ｕ３の閲覧権限の有無に応じて、外部端末５０の表示手段ごと且つ部分コンテンツごとに切り替えられる。そして、当該コンテンツＣ１０が外部端末５０ａ，５０ｃで表示される旨が判定される場合において、当該ユーザＵ３が閲覧権限を有する特定の部分コンテンツ（たとえば部分コンテンツＰ１３）に含まれる秘匿情報が外部端末５０ｃで表示されており且つ当該秘匿情報が外部端末５０ａで表示されていない旨が判定される場合、当該特定の部分コンテンツＰ１３の表示部分が当該ユーザＵ３に通知される。【選択図】図９
2018197905.tif 000002
【特許請求の範囲】
【請求項１】
情報表示システムであって、
第１のユーザによって所持されている第１の表示装置に設けられた第１の表示手段と、
第２のユーザによって所持されている第２の表示装置に設けられた第２の表示手段と、
一のコンテンツが前記第１の表示手段と前記第２の表示手段とにてそれぞれ表示される際に、前記一のコンテンツを区分した複数の部分コンテンツに含まれる情報に関する表示の有無を、各ユーザの閲覧権限の有無に応じて、表示手段ごとに且つ部分コンテンツごとに切り替える表示切替手段と、
前記一のコンテンツが前記第１の表示手段と前記第２の表示手段とにてそれぞれ表示される旨が判定される場合において、前記第１のユーザが閲覧権限を有する特定の部分コンテンツに含まれる秘匿情報である特定秘匿情報が前記第１の表示手段で表示されており且つ前記特定秘匿情報が前記第２の表示手段で表示されていない旨が、前記第１のユーザの閲覧権限と前記第２のユーザの閲覧権限とに基づき判定されるときには、前記第１の表示手段における前記特定の部分コンテンツの表示部分を前記第１のユーザに通知する通知手段と、
を備えることを特徴とする情報表示システム。
【請求項２】
請求項１に記載の情報表示システムにおいて、
前記通知手段は、前記複数の部分コンテンツのうち、前記第１のユーザの閲覧権限と前記第２のユーザの閲覧権限とに基づき前記第１の表示手段と前記第２の表示手段との双方で表示されている旨が判定される部分コンテンツである共通表示コンテンツの表示態様とは異なる表示態様で、前記特定の部分コンテンツを表示することによって、前記第１の表示手段における前記特定の部分コンテンツの表示部分を前記第１のユーザに通知することを特徴とする情報表示システム。
【請求項３】
請求項１または請求項２に記載の情報表示システムにおいて、
前記通知手段は、前記第１のユーザの近傍に前記第２のユーザが存在し且つ前記一のコンテンツが前記第１の表示手段と前記第２の表示手段とにてそれぞれ表示される旨が判定される場合において、前記特定秘匿情報が前記第１の表示手段で表示されており且つ前記特定秘匿情報が前記第２の表示手段で表示されていない旨が判定されるときには、前記第１の表示手段における前記特定の部分コンテンツの表示部分を前記第１のユーザに通知することを特徴とする情報表示システム。
【請求項４】
請求項１から請求項３のいずれかに記載の情報表示システムにおいて、
ユーザの発声を検出することが可能な検出手段、
をさらに備え、
前記通知手段は、前記特定秘匿情報が前記第１の表示手段で表示されており且つ前記特定秘匿情報が前記第２の表示手段で表示されていない旨が判定される場合、前記第１の表示装置において前記発声が検出されたことを条件に、前記第１の表示手段における前記特定の部分コンテンツの表示部分を前記第１のユーザに通知することを特徴とする情報表示システム。
【請求項５】
請求項１から請求項４のいずれかに記載の情報表示システムにおいて、
前記第１の表示手段で表示されている前記特定の部分コンテンツに関する秘匿レベルを、前記第１のユーザによる設定変更操作に応じて変更することが可能な設定変更手段、
をさらに備えることを特徴とする情報表示システム。
【請求項６】
請求項１から請求項５のいずれかに記載の情報表示システムにおいて、
前記通知手段は、前記第１のユーザの閲覧権限に基づき前記第１の表示手段での表示が許容され且つ前記第２のユーザの閲覧権限に基づき前記第２の表示手段での表示が禁止される部分コンテンツであって現時点では前記第１の表示手段に表示されていない部分コンテンツである非表示特定コンテンツが存在する場合、当該非表示特定コンテンツの存在を前記第１のユーザに通知することを特徴とする情報表示システム。
【請求項７】
請求項１から請求項６のいずれかに記載の情報表示システムにおいて、
前記通知手段は、前記第１の表示装置に設けられていることを特徴とする情報表示システム。
【請求項８】
請求項１から請求項６のいずれかに記載の情報表示システムにおいて、
前記通知手段は、前記コンテンツを各表示装置に送信するサーバに設けられていることを特徴とする情報表示システム。
【請求項９】
第１のユーザによって所持されている表示装置であって、
一のコンテンツが前記表示装置にて表示される際に、前記一のコンテンツを区分した複数の部分コンテンツに含まれる情報に関する表示の有無を、前記第１のユーザの閲覧権限の有無に応じて、部分コンテンツごとに切り替える表示切替手段と、
前記表示装置である第１の表示装置と前記第１の表示装置とは異なる第２の表示装置とにて前記一のコンテンツがそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２の表示装置の所持ユーザの閲覧権限とに基づき判定されるときには、前記第１の表示装置における前記特定の部分コンテンツの表示部分を前記第１のユーザに通知する通知手段と、
を備えることを特徴とする表示装置。
【請求項１０】
第１のユーザによって所持されている表示装置に内蔵されたコンピュータに、
ａ）一のコンテンツが前記表示装置にて表示される際に、前記一のコンテンツを区分した複数の部分コンテンツに含まれる情報に関する表示の有無を、前記第１のユーザの閲覧権限の有無に応じて、部分コンテンツごとに切り替えるステップと、
ｂ）前記表示装置である第１の表示装置と前記第１の表示装置とは異なる第２の表示装置とにて前記一のコンテンツがそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２の表示装置の所持ユーザの閲覧権限とに基づき判定されるときには、前記第１の表示装置における前記特定の部分コンテンツの表示部分を前記第１のユーザに通知するステップと、
を実行させるためのプログラム。
【請求項１１】
表示制御装置であって、
第１のユーザによって所持されている第１の表示装置と第２のユーザによって所持されている第２の表示装置とのそれぞれにて一のコンテンツが表示される際に、前記一のコンテンツを区分した複数の部分コンテンツに含まれる情報に関する表示の有無を、各ユーザの閲覧権限の有無に応じて、表示装置ごと且つ部分コンテンツごとに切り替える表示切替手段と、
前記一のコンテンツが前記第１の表示装置と前記第２の表示装置とにてそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２のユーザの閲覧権限とに基づき判定されるときには、前記第１の表示装置における前記特定の部分コンテンツの表示部分を前記第１のユーザに通知する通知手段と、
を備えることを特徴とする表示制御装置。
【請求項１２】
コンピュータに、
ａ）第１のユーザによって所持されている第１の表示装置と第２のユーザによって所持されている第２の表示装置とのそれぞれにて一のコンテンツが表示される際に、前記一のコンテンツを区分した複数の部分コンテンツに含まれる情報に関する表示の有無を、各ユーザの閲覧権限の有無に応じて、表示装置ごと且つ部分コンテンツごとに切り替えるステップと、
ｂ）前記一のコンテンツが前記第１の表示装置と前記第２の表示装置とにてそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２のユーザの閲覧権限とに基づき判定されるときには、前記第１の表示装置における前記特定の部分コンテンツの表示部分を前記第１のユーザに通知するステップと、
を実行させるためのプログラム。
【発明の詳細な説明】
【技術分野】
【０００１】
本発明は、情報表示システムおよびそれに関連する技術に関する。
【背景技術】
【０００２】
秘匿情報を非表示化することによって、第三者の覗き見による秘匿情報の漏洩を防止（抑制）する技術が存在する。
【０００３】
たとえば、特許文献１に記載の技術では、秘匿情報を含むコンテンツがユーザの表示装置等で表示される場合において、当該秘匿情報の閲覧権限を有しない人物が当該ユーザの近傍に存在するときには、当該表示装置において当該秘匿情報が非表示化される。これにより、秘匿情報の閲覧権限を有しない人物に当該秘匿情報を見せないようにしている。
【先行技術文献】
【特許文献】
【０００４】
【特許文献１】特開２０１１−１３４１３７号公報
【発明の概要】
【発明が解決しようとする課題】
【０００５】
しかしながら、コンテンツに含まれる秘匿情報の閲覧権限を有する人物の表示装置において、当該秘匿情報の閲覧権限を有しない人物が近傍に存在することに起因して当該秘匿情報が非表示化される場合、覗き見による秘匿情報の漏洩は抑制されるものの、当該秘匿情報の閲覧権限を有する人物にとって様々な不利益が生じ得る。
【０００６】
たとえば、会議等において、複数のユーザが、それぞれ自身の表示装置（たとえばタブレット型端末）を用いて或るコンテンツを閲覧することがある。また、当該会議には、当該或るコンテンツに含まれる秘匿情報の閲覧権限を有するユーザのみならず、当該秘匿情報の閲覧権限を有しないユーザが参加することもある。
【０００７】
このような場合、上記特許文献１に記載の技術では、当該秘匿情報の閲覧権限を有するユーザの表示装置において、当該閲覧権限を有しないユーザが近傍に存在することに起因して当該秘匿情報が非表示化されてしまう。その結果、当該秘匿情報の閲覧権限を有するユーザは、会議中において、自身の表示装置を用いて当該秘匿情報を閲覧することができない。
【０００８】
このような事情を考慮して、各表示装置におけるコンテンツの表示に際して、当該コンテンツに含まれる秘匿情報に関する各ユーザの閲覧権限の有無に応じて、当該各ユーザの表示装置における秘匿情報の表示の有無を切り替えることが考えられる。詳細には、コンテンツの表示に際して、当該秘匿情報の閲覧権限を有するユーザの表示装置には秘匿情報を表示させるものの、当該秘匿情報の閲覧権限を有しないユーザの表示装置には当該秘匿情報を表示させないこと、が考えられる。これにより、当該秘匿情報の閲覧権限を有するユーザは、当該閲覧権限を有しないユーザが自身の近傍に存在する場合であっても、会議等において自身の表示装置を用いて当該秘匿情報を閲覧することができる。
【０００９】
ただし、この場合、当該秘匿情報の閲覧権限を有するユーザが、自身の表示装置に表示されている秘匿情報が他ユーザ（当該閲覧権限を有しないユーザ）の表示装置には表示されていないことを認識しておらず、当該秘匿情報を読み上げてしまうことがある。その結果、コンテンツに含まれる秘匿情報の閲覧権限を有しないユーザに当該秘匿情報が漏洩する恐れがある。
【００１０】
そこで、本願発明は、秘匿情報の読み上げに起因する当該秘匿情報の漏洩を抑止することが可能な技術を提供することを課題とする。
【課題を解決するための手段】
【００１１】
上記課題を解決すべく、請求項１の発明は、情報表示システムであって、第１のユーザによって所持されている第１の表示装置に設けられた第１の表示手段と、第２のユーザによって所持されている第２の表示装置に設けられた第２の表示手段と、一のコンテンツが前記第１の表示手段と前記第２の表示手段とにてそれぞれ表示される際に、前記一のコンテンツを区分した複数の部分コンテンツに含まれる情報に関する表示の有無を、各ユーザの閲覧権限の有無に応じて、表示手段ごとに且つ部分コンテンツごとに切り替える表示切替手段と、前記一のコンテンツが前記第１の表示手段と前記第２の表示手段とにてそれぞれ表示される旨が判定される場合において、前記第１のユーザが閲覧権限を有する特定の部分コンテンツに含まれる秘匿情報である特定秘匿情報が前記第１の表示手段で表示されており且つ前記特定秘匿情報が前記第２の表示手段で表示されていない旨が、前記第１のユーザの閲覧権限と前記第２のユーザの閲覧権限とに基づき判定されるときには、前記第１の表示手段における前記特定の部分コンテンツの表示部分を前記第１のユーザに通知する通知手段と、を備えることを特徴とする。
【００１２】
請求項２の発明は、請求項１の発明に係る情報表示システムにおいて、前記通知手段は、前記複数の部分コンテンツのうち、前記第１のユーザの閲覧権限と前記第２のユーザの閲覧権限とに基づき前記第１の表示手段と前記第２の表示手段との双方で表示されている旨が判定される部分コンテンツである共通表示コンテンツの表示態様とは異なる表示態様で、前記特定の部分コンテンツを表示することによって、前記第１の表示手段における前記特定の部分コンテンツの表示部分を前記第１のユーザに通知することを特徴とする。
【００１３】
請求項３の発明は、請求項１または請求項２の発明に係る情報表示システムにおいて、前記通知手段は、前記第１のユーザの近傍に前記第２のユーザが存在し且つ前記一のコンテンツが前記第１の表示手段と前記第２の表示手段とにてそれぞれ表示される旨が判定される場合において、前記特定秘匿情報が前記第１の表示手段で表示されており且つ前記特定秘匿情報が前記第２の表示手段で表示されていない旨が判定されるときには、前記第１の表示手段における前記特定の部分コンテンツの表示部分を前記第１のユーザに通知することを特徴とする。
【００１４】
請求項４の発明は、請求項１から請求項３のいずれかの発明に係る情報表示システムにおいて、ユーザの発声を検出することが可能な検出手段、をさらに備え、前記通知手段は、前記特定秘匿情報が前記第１の表示手段で表示されており且つ前記特定秘匿情報が前記第２の表示手段で表示されていない旨が判定される場合、前記第１の表示装置において前記発声が検出されたことを条件に、前記第１の表示手段における前記特定の部分コンテンツの表示部分を前記第１のユーザに通知することを特徴とする。
【００１５】
請求項５の発明は、請求項１から請求項４のいずれかの発明に係る情報表示システムにおいて、前記第１の表示手段で表示されている前記特定の部分コンテンツに関する秘匿レベルを、前記第１のユーザによる設定変更操作に応じて変更することが可能な設定変更手段、をさらに備えることを特徴とする。
【００１６】
請求項６の発明は、請求項１から請求項５のいずれかの発明に係る情報表示システムにおいて、前記通知手段は、前記第１のユーザの閲覧権限に基づき前記第１の表示手段での表示が許容され且つ前記第２のユーザの閲覧権限に基づき前記第２の表示手段での表示が禁止される部分コンテンツであって現時点では前記第１の表示手段に表示されていない部分コンテンツである非表示特定コンテンツが存在する場合、当該非表示特定コンテンツの存在を前記第１のユーザに通知することを特徴とする。
【００１７】
請求項７の発明は、請求項１から請求項６のいずれかの発明に係る情報表示システムにおいて、前記通知手段は、前記第１の表示装置に設けられていることを特徴とする。
【００１８】
請求項８の発明は、請求項１から請求項６のいずれかの発明に係る情報表示システムにおいて、前記通知手段は、前記コンテンツを各表示装置に送信するサーバに設けられていることを特徴とする。
【００１９】
請求項９の発明は、第１のユーザによって所持されている表示装置であって、一のコンテンツが前記表示装置にて表示される際に、前記一のコンテンツを区分した複数の部分コンテンツに含まれる情報に関する表示の有無を、前記第１のユーザの閲覧権限の有無に応じて、部分コンテンツごとに切り替える表示切替手段と、前記表示装置である第１の表示装置と前記第１の表示装置とは異なる第２の表示装置とにて前記一のコンテンツがそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２の表示装置の所持ユーザの閲覧権限とに基づき判定されるときには、前記第１の表示装置における前記特定の部分コンテンツの表示部分を前記第１のユーザに通知する通知手段と、を備えることを特徴とする。
【００２０】
請求項１０の発明は、第１のユーザによって所持されている表示装置に内蔵されたコンピュータに、ａ）一のコンテンツが前記表示装置にて表示される際に、前記一のコンテンツを区分した複数の部分コンテンツに含まれる情報に関する表示の有無を、前記第１のユーザの閲覧権限の有無に応じて、部分コンテンツごとに切り替えるステップと、ｂ）前記表示装置である第１の表示装置と前記第１の表示装置とは異なる第２の表示装置とにて前記一のコンテンツがそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２の表示装置の所持ユーザの閲覧権限とに基づき判定されるときには、前記第１の表示装置における前記特定の部分コンテンツの表示部分を前記第１のユーザに通知するステップと、を実行させるためのプログラムであることを特徴とする。
【００２１】
請求項１１の発明は、表示制御装置であって、第１のユーザによって所持されている第１の表示装置と第２のユーザによって所持されている第２の表示装置とのそれぞれにて一のコンテンツが表示される際に、前記一のコンテンツを区分した複数の部分コンテンツに含まれる情報に関する表示の有無を、各ユーザの閲覧権限の有無に応じて、表示装置ごと且つ部分コンテンツごとに切り替える表示切替手段と、前記一のコンテンツが前記第１の表示装置と前記第２の表示装置とにてそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２のユーザの閲覧権限とに基づき判定されるときには、前記第１の表示装置における前記特定の部分コンテンツの表示部分を前記第１のユーザに通知する通知手段と、を備えることを特徴とする。
【００２２】
請求項１２の発明は、コンピュータに、ａ）第１のユーザによって所持されている第１の表示装置と第２のユーザによって所持されている第２の表示装置とのそれぞれにて一のコンテンツが表示される際に、前記一のコンテンツを区分した複数の部分コンテンツに含まれる情報に関する表示の有無を、各ユーザの閲覧権限の有無に応じて、表示装置ごと且つ部分コンテンツごとに切り替えるステップと、ｂ）前記一のコンテンツが前記第１の表示装置と前記第２の表示装置とにてそれぞれ表示される旨が判定される場合において、前記第１のユーザが閲覧権限を有する特定の部分コンテンツに含まれる秘匿情報である特定秘匿情報が前記第１の表示装置で表示されており且つ前記特定秘匿情報が前記第２の表示装置で表示されていない旨が、前記第１のユーザの閲覧権限と前記第２のユーザの閲覧権限とに基づき判定されるときには、前記第１の表示装置における前記特定の部分コンテンツの表示部分を前記第１のユーザに通知するステップと、を実行させるためのプログラムであることを特徴とする。
【発明の効果】
【００２３】
請求項１から請求項１２に記載の発明によれば、第１の表示装置の所持ユーザは、自身の表示装置に表示されている秘匿情報が他ユーザの表示装置には表示されていないことを認識することができる。したがって、秘匿情報の読み上げに起因する当該秘匿情報の漏洩を抑制することが可能である。
【図面の簡単な説明】
【００２４】
【図１】情報表示システムを示す図である。
【図２】表示装置（外部端末）の機能ブロックを示す図である。
【図３】各外部端末に配信されるコンテンツを示す図である。
【図４】閲覧権限レベル「３」のユーザの表示装置に表示されるコンテンツを示す図である。
【図５】閲覧権限レベル「２」のユーザの表示装置に表示されるコンテンツを示す図である。
【図６】閲覧権限レベル「１」のユーザの表示装置に表示されるコンテンツを示す図である。
【図７】表示装置（外部端末）の動作を示すフローチャートである。
【図８】情報表示システムにおける動作を示す概念図である。
【図９】情報表示システムにおける動作を示す概念図である。
【図１０】情報表示システムにおける動作を示す概念図である。
【図１１】配信サーバの動作を示すフローチャートである。
【図１２】第３実施形態に係る情報表示システムを示す図である。
【図１３】第３実施形態に係る情報表示システムにおける動作を示す概念図である。
【図１４】変形例に係る表示装置（外部端末）の動作を示すフローチャートである。
【図１５】変更ボタンが表示されたコンテンツを示す図である。
【図１６】設定変更画面を示す図である。
【図１７】変形例に係る情報表示システムにおける動作を示す概念図である。
【図１８】非表示特定コンテンツの存在の通知等を示す図である。
【図１９】表示相違コンテンツの表示態様に関する変形例の説明に関する図である。
【発明を実施するための形態】
【００２５】
以下、本発明の実施形態を図面に基づいて説明する。
【００２６】
＜１．第１実施形態＞
＜１−１．構成概要＞
図１は、本発明に係る情報表示システム１（１Ａ）を示す図である。図１に示すように、情報表示システム１Ａは、外部端末５０と配信サーバ９０とを備える。なお、ここでは、表示装置（表示制御装置）として外部端末５０を例示する。
【００２７】
情報表示システム１において、外部端末５０と配信サーバ９０とは、ネットワーク１０８を介して互いに接続される。ネットワーク１０８は、ＬＡＮ（Local Area Network）およびインターネットなどによって構成される。また、ネットワーク１０８に対する接続態様は、有線接続であってもよく、或いは無線接続であってもよい。
【００２８】
配信サーバ９０は、文書情報等のコンテンツＣ１０（図３等）を外部端末５０に配信するサーバ装置（サーバコンピュータ）である。
【００２９】
具体的には、配信サーバ９０は、外部端末５０からの配信要求（コンテンツＣ１０の配信要求）に応答して、コンテンツＣ１０を当該外部端末５０に送信（配信）する。そして、外部端末５０は、配信サーバ９０から受信したコンテンツＣ１０を表示する。
【００３０】
より詳細には、外部端末５０には、配信サーバ９０と連携してコンテンツＣ１０をタッチパネル７５（図１参照）に表示するためのアプリケーションソフトウエアプログラム（「コンテンツ表示アプリケーション」とも称する）がインストールされている。当該外部端末５０は、所持ユーザのログイン認証を行った後、ユーザ操作に応じて当該コンテンツ表示アプリケーションを起動するとともに、コンテンツＣ１０（たとえばユーザによって指定されたコンテンツ）の配信要求を配信サーバ９０に送信する。
【００３１】
配信サーバ９０は、当該配信要求に応答して、当該コンテンツＣ１０を外部端末５０に送信（配信）し、当該外部端末５０（コンテンツ表示アプリケーション）は、配信サーバ９０から受信したコンテンツＣ１０をタッチパネル７５に表示する。なお、後述するように、外部端末５０におけるコンテンツＣ１０の表示に際しては、外部端末５０の所持ユーザの閲覧権限レベルに応じて、コンテンツＣ１０に含まれる情報に関する表示の有無が切り替えられる。
【００３２】
＜１−２．外部端末の構成＞
次に外部端末５０の構成について説明する。
【００３３】
外部端末５０は、他の装置（配信サーバ９０等）との間でのネットワーク通信が可能な情報入出力端末装置である。ここでは、外部端末５０として、タブレット型端末を例示する。ただし、これに限定されず、外部端末５０は、スマートフォンであってもよく、パーソナルコンピュータなどであってもよい。また、外部端末５０は、携帯式の装置であってもよく、据置型の装置であってもよい。
【００３４】
図２は外部端末５０の概略構成を示す機能ブロック図である。
【００３５】
外部端末５０は、図２の機能ブロック図に示すように、通信部５４、格納部５５、操作部５６およびコントローラ（制御部）５９等を備えており、これらの各部を複合的に動作させることによって、各種の機能を実現する。
【００３６】
通信部５４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、外部端末５０は、所望の相手先（配信サーバ９０等）との間で各種のデータを授受することが可能である。通信部５４は、各種データを送信する送信部５４ａと各種データを受信する受信部５４ｂとを有する。たとえば、送信部５４ａは、コンテンツＣ１０の送信要求を配信サーバ９０に送信し、受信部５４ｂは、当該コンテンツＣ１０を配信サーバ９０から受信する。
【００３７】
格納部５５は、ハードディスクドライブ（ＨＤＤ）および不揮発性の半導体メモリ等の記憶装置で構成され、各種の情報を格納することが可能である。
【００３８】
操作部５６は、外部端末５０に対する入力を受け付ける操作入力部５６ａと、各種情報の表示出力を行う表示部５６ｂとを備えている。この外部端末５０においては、液晶表示パネルに圧電センサ等が埋め込まれて構成されたタッチパネル７５（図１参照）が設けられている。詳細には、略板状の外部端末５０の正面側において、その周縁部（枠部）を除くほぼ全面にわたってタッチパネル７５が設けられている。このタッチパネル７５は、操作入力部５６ａの一部としても機能するとともに、表示部５６ｂの一部としても機能する。
【００３９】
コントローラ５９は、外部端末５０に内蔵され、外部端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、格納部５５内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されて外部端末５０にインストールされてもよい。あるいは、当該プログラムは、ネットワーク１０８等を経由してダウンロードされて外部端末５０にインストールされるようにしてもよい。
【００４０】
コントローラ５９は、当該プログラムの実行により、通信制御部６１と入力制御部６２と表示切替部６３と表示制御部６４と判定部６５とを含む各種の処理部を実現する。
【００４１】
通信制御部６１は、通信部５４等と協働して、配信サーバ９０等との通信動作を制御する処理部である。たとえば、通信制御部６１は、通信部５４等と協働して、コンテンツＣ１０の配信要求を配信サーバ９０に送信するとともに、当該配信要求に応じて配信サーバ９０から送信されてきたコンテンツＣ１０を受信する。
【００４２】
入力制御部６２は、操作入力部５６ａに対するユーザからの操作入力の受付動作等を制御する制御部である。
【００４３】
表示切替部６３は、コンテンツＣ１０の表示に際して、コンテンツＣ１０を区分した複数の部分コンテンツのそれぞれに含まれる情報に関する表示の有無を、外部端末５０の所持ユーザの閲覧権限の有無に応じて、部分コンテンツごとに切り替える処理部である。詳細には、表示切替部６３は、複数の部分コンテンツのそれぞれに関して予め設定された秘匿レベルと当該所持ユーザに関して予め定められた閲覧権限レベルとに基づいて、各部分コンテンツ（各部分コンテンツに含まれる情報）の表示の有無を切り替える。
【００４４】
判定部６５は、各種の判定処理を行う処理部である。たとえば、判定部６５は、自装置の所持ユーザが閲覧権限を有する特定の部分コンテンツ（特定の部分コンテンツに含まれる秘匿情報（特定秘匿情報））が自装置で表示されており且つ当該特定秘匿情報が他装置で表示されているか否か、を自装置の所持ユーザの閲覧権限と他装置の所持ユーザの閲覧権限（特定の部分コンテンツの閲覧権限）とに基づき判定する。
【００４５】
表示制御部６４は、表示部５６ｂ（タッチパネル７５）における表示動作を制御する処理部である。たとえば、表示制御部６４は、配信サーバ９０から受信されたコンテンツＣ１０をタッチパネル７５に表示する。また、表示制御部６４は、当該特定秘匿情報が自装置で表示されており且つ当該特定秘匿情報が他装置で表示されていない旨が自装置の所持ユーザの閲覧権限と他装置の所持ユーザの閲覧権限とに基づき判定される場合、自装置のタッチパネル７５における当該特定の部分コンテンツの表示部分を自装置の所持ユーザに通知する。換言すれば、表示制御部６４は、表示相違コンテンツ（次述）の表示部分（表示相違部分）を自装置の所持ユーザに通知する。表示相違コンテンツは、複数の部分コンテンツのうち、自装置の所持ユーザが閲覧権限を有することに基づき自装置にて表示されており且つ他装置の所持ユーザが閲覧権限を有しないことに基づき当該他装置にて表示されていない旨が判定される部分コンテンツである。
【００４６】
具体的には、表示制御部６４は、コンテンツＣ１０の複数の部分コンテンツのうち共通表示コンテンツ（次述）の表示態様とは異なる表示態様で当該表示相違コンテンツを表示することによって、表示相違部分（表示相違コンテンツの表示部分）を自装置の所持ユーザに通知する。共通表示コンテンツは、複数の部分コンテンツのうち、自装置の所持ユーザと他装置の所持ユーザとの双方が閲覧権限を有することに基づき自装置のタッチパネル７５と他装置のタッチパネル７５との双方で表示されている旨が判定される部分コンテンツである。たとえば、表示制御部６４は、当該共通表示コンテンツよりも強調して表示相違コンテンツを表示する（ここではハイライト表示する）ことによって、当該表示相違部分を所持ユーザに通知する。なお、表示相違コンテンツの強調表示手法はハイライト表示に限定されず、表示相違コンテンツの強調表示手法は、ハッチング表示であってもよく、あるいは、点滅表示などであってもよい。
【００４７】
＜１−３．コンテンツＣ１０に含まれる情報の秘匿レベル＞
情報表示システム１では、配信サーバ９０において、コンテンツＣ１０（図３）を区分して生成される複数の部分コンテンツのそれぞれに含まれる情報の秘匿性（秘匿度合い）に応じて、秘匿レベル（秘匿性レベル）が予め設定されている。詳細には、コンテンツＣ１０の複数の部分コンテンツのそれぞれに関して、複数段階（ここでは３段階）の秘匿レベルのいずれかが設定される。
【００４８】
たとえば、コンテンツＣ１０全体（複数の部分コンテンツ）のうちいずれのユーザもが閲覧することが可能な情報（非秘匿情報）のみが含まれる部分コンテンツには、最も低いレベル「１」の秘匿レベルが付与される。ここでは、コンテンツＣ１０の複数の部分コンテンツのうち部分コンテンツＰ１１（図３）には非秘匿情報のみが含まれており、当該部分コンテンツＰ１１に関しては、秘匿レベル「１」が設定される。
【００４９】
また、コンテンツＣ１０全体（複数の部分コンテンツ）のうち秘匿情報が含まれる部分コンテンツには、レベル「１」よりも高い秘匿レベルが付与される。
【００５０】
たとえば、複数の部分コンテンツのうち一定程度以上の秘匿度合いを有する秘匿情報が含まれる部分コンテンツには、最も高いレベル「３」の秘匿レベルが付与される。ここでは、部分コンテンツＰ１３には、一定程度以上の秘匿度合いを有する秘匿情報が含まれており、当該部分コンテンツＰ１３に関しては、秘匿レベル「３」が設定される。また、複数の部分コンテンツのうち秘匿情報が含まれるものの一定程度以上の秘匿度合いを有する秘匿情報は含まれない部分コンテンツ（一定程度未満の秘匿度合いを有する秘匿情報（および非秘匿情報）のみが含まれる部分コンテンツ）には、レベル「２」の秘匿レベルが付与される。ここでは、部分コンテンツＰ１２には、秘匿情報が含まれるものの一定程度以上の秘匿度合いを有する秘匿情報は含まれておらず、当該部分コンテンツＰ１２に関しては、秘匿レベル「２」が設定される。
【００５１】
このように、コンテンツＣ１０においては、複数の部分コンテンツＰ１１〜Ｐ１３のそれぞれに関して秘匿レベルが予め設定されている。
【００５２】
＜１−４．ユーザの閲覧権限レベルに応じたコンテンツ表示処理＞
また、この情報表示システム１では、各ユーザに関して閲覧権限レベルが予め定められている。そして、所持ユーザの閲覧権限レベル（各部分コンテンツの閲覧権限の有無）に応じて、複数の部分コンテンツのそれぞれに含まれる情報に関する表示の有無が、外部端末５０ごと（外部端末５０のタッチパネル７５ごと）且つ部分コンテンツごとに切り替えられる。
【００５３】
具体的には、外部端末５０は、配信サーバ９０から受信したコンテンツＣ１０（Ｃ１１）の表示に際して、当該コンテンツＣ１１を解析し、各部分コンテンツＰ１１〜Ｐ１３（図３）に関して予め定められた秘匿レベルを取得する。そして、外部端末５０は、各部分コンテンツＰ１１〜Ｐ１３の秘匿レベルと自装置５０の所持ユーザに対して付与されている閲覧権限レベルとに基づいて、複数の部分コンテンツＰ１１〜Ｐ１３のうち当該所持ユーザが閲覧権限を有する部分コンテンツをタッチパネル７５に表示する。換言すれば、外部端末５０は、複数の部分コンテンツＰ１１〜Ｐ１３のうち所持ユーザの閲覧権限レベルに対応する秘匿レベル以下の秘匿レベルを有する部分コンテンツをタッチパネル７５に表示する。なお、ここでは、所持ユーザの閲覧権限レベルは、当該所持ユーザの外部端末５０に予め登録されている。ただし、これに限定されず、所持ユーザの閲覧権限レベルは、配信サーバ９０から取得されてもよい。
【００５４】
たとえば、ユーザＵ３の閲覧権限レベルがレベル「３」に設定されている場合、当該ユーザＵ３の外部端末５０ｃは、複数の部分コンテンツＰ１１〜Ｐ１３のうち、所持ユーザＵ３の閲覧権限レベル「３」に対応する秘匿レベル（ここではレベル「３」）以下の秘匿レベルを有する部分コンテンツＰ１１〜Ｐ１３を表示する（図４参照）。換言すれば、複数の部分コンテンツＰ１１〜Ｐ１３のうち所持ユーザＵ３が閲覧権限を有する部分コンテンツが外部端末５０ｃのタッチパネル７５に表示される。詳細には、ユーザＵ３（閲覧権限レベル「３」のユーザ）は、部分コンテンツＰ１２（秘匿レベル「２」の部分コンテンツ）の閲覧権限を有する。そのため、外部端末５０ｃは、当該部分コンテンツＰ１２をタッチパネル７５に表示する（図４参照）。また、当該ユーザＵ３は、部分コンテンツＰ１３（秘匿レベル「３」の部分コンテンツ）の閲覧権限をも有する。そのため、外部端末５０ｃは、部分コンテンツＰ１３をタッチパネル７５に表示する（図４参照）。なお、部分コンテンツＰ１１（秘匿レベル「１」の部分コンテンツ）は、非秘匿情報のみを含む部分コンテンツであり、いずれの外部端末５０においても表示される。
【００５５】
また、ユーザＵ２の閲覧権限レベルがレベル「２」に設定されている場合、当該ユーザＵ２の外部端末５０ｂは、複数の部分コンテンツＰ１１〜Ｐ１３のうち、所持ユーザＵ２の閲覧権限レベル「２」に対応する秘匿レベル（ここではレベル「２」）以下の秘匿レベルを有する部分コンテンツＰ１１，Ｐ１２を表示する（図５参照）。換言すれば、複数の部分コンテンツＰ１１〜Ｐ１３のうち所持ユーザＵ２が閲覧権限を有する部分コンテンツが外部端末５０ｂのタッチパネル７５に表示される。詳細には、ユーザＵ２（閲覧権限レベル「２」のユーザ）は、部分コンテンツＰ１２の閲覧権限を有するものの、部分コンテンツＰ１３の閲覧権限を有しない。そのため、外部端末５０ｂは、部分コンテンツＰ１１，Ｐ１２をタッチパネル７５に表示するものの、部分コンテンツＰ１３をタッチパネル７５に表示しない（図５参照）。
【００５６】
さらに、ユーザＵ１の閲覧権限レベルがレベル「１」に設定されている場合、当該ユーザＵ１の外部端末５０ａは、複数の部分コンテンツＰ１１〜Ｐ１３のうち所持ユーザＵ１の閲覧権限レベル「１」に対応する秘匿レベル（ここではレベル「１」）以下の秘匿レベルを有する部分コンテンツＰ１１を表示する（図６参照）。換言すれば、複数の部分コンテンツＰ１１〜Ｐ１３のうち所持ユーザＵ１が閲覧権限を有する部分コンテンツが外部端末５０ａのタッチパネル７５に表示される。詳細には、ユーザＵ１は、部分コンテンツＰ１２，Ｐ１３の閲覧権限を有しない。そのため、外部端末５０ａは、部分コンテンツＰ１１（非秘匿情報のみを含む部分コンテンツ）をタッチパネル７５に表示するものの、部分コンテンツＰ１２，Ｐ１３（秘匿情報を含む部分コンテンツ）をタッチパネル７５に表示しない（図６参照）。
【００５７】
このように、外部端末５０においては、各部分コンテンツの秘匿レベルと所持ユーザの閲覧権限レベル（各部分コンテンツの閲覧権限の有無）とに基づいて、各部分コンテンツの表示の有無が切り替えられる。
【００５８】
＜１−５．動作＞
以上のようなコンテンツ表示処理（外部端末５０の所持ユーザの閲覧権限レベルに応じた表示切替処理）が各外部端末５０にて行われることを前提とした上で、本システム１の動作（表示相違部分の通知処理等）について以下に説明する。
【００５９】
＜ユーザＵ３の近傍にいずれのユーザも存在しない場合＞
ここでは、まず、会議において、ユーザＵ３が自身の外部端末５０ｃを用いてコンテンツＣ１０（Ｃ１１）を閲覧しており、且ついずれのユーザも当該ユーザＵ３の近傍に存在していない場合の動作について説明する。なお、その後に他ユーザ（同一コンテンツＣ１０を閲覧中の他ユーザ）が当該ユーザＵ３に接近した場合の動作については、後述する。
【００６０】
具体的には、外部端末５０ｃは、所持ユーザＵ３による操作に応じて、コンテンツ表示アプリケーションを起動するとともに、コンテンツＣ１０（Ｃ１１）の配信要求を配信サーバ９０に送信する。そして、配信サーバ９０は、コンテンツＣ１１を外部端末５０ｃに送信（配信）し、外部端末５０ｃは、配信サーバ９０から受信したコンテンツＣ１１をタッチパネル７５に表示する。当該コンテンツＣ１１の表示に際して、外部端末５０ｃは、上述のように、ユーザＵ３の閲覧権限レベル（ここではレベル「３」）に基づいて、コンテンツＣ１１の全ての部分コンテンツＰ１１〜Ｐ１３を表示する（図４参照）。
【００６１】
また、外部端末５０（ここでは外部端末５０ｃ）におけるコンテンツＣ１０の表示に伴って、図７のフローチャートが外部端末５０（５０ｃ）にて開始される。図７は、外部端末５０における動作（表示相違部分の通知処理等に関する動作）を示すフローチャートである。なお、ここでは、外部端末５０ｃにおける動作について例示するが、図７の処理は、各外部端末５０において実行される。
【００６２】
詳細には、後述するように、ユーザＵ３がコンテンツＣ１０（Ｃ１１）を閲覧している場合において、当該ユーザＵ３の近傍にいずれのユーザも存在しないときには、表示相違部分の通知処理（ステップＳ１６）は実行されない。
【００６３】
より詳細には、まず、ステップＳ１２においては、外部端末５０ｃは、自装置５０ｃに配信されたコンテンツＣ１０（自装置５０ｃにて表示中のコンテンツＣ１０）と同じコンテンツが配信された外部端末５０（他の外部端末５０）が自装置５０ｃの近傍に存在するか否か、を判定する。換言すれば、外部端末５０ｃに配信されたコンテンツＣ１０と同じコンテンツが配信された外部端末５０の所持ユーザが当該外部端末５０ｃの所持ユーザＵ３の近傍に存在するか否か、が判定される。
【００６４】
具体的には、外部端末５０ｃは、自装置５０ｃの位置情報を取得（検出）するとともに、取得した位置情報を配信サーバ９０に送信する。また、外部端末５０ｃは、自装置５０ｃの近傍における他の外部端末５０（自装置５０ｃに配信したコンテンツＣ１０と同じコンテンツを配信した他の外部端末５０）の存否を配信サーバ９０に問い合わせる。そして、当該配信サーバ９０は、外部端末５０ｃからの問合せに応答して、外部端末５０ｃの位置情報に基づいて、当該外部端末５０ｃに配信したコンテンツＣ１０と同じコンテンツを配信した外部端末５０が当該外部端末５０ｃから所定範囲内（たとえば外部端末５０ｃから所定距離（たとえば１０メートル）の範囲内）に存在するか否か、を判定する。なお、配信サーバ９０は、コンテンツＣ１０の配信先の外部端末５０と当該配信先の外部端末５０から取得した位置情報とを記憶している。
【００６５】
そして、配信サーバ９０は、判定結果を外部端末５０ｃに送信し、外部端末５０ｃは、配信サーバ９０からの判定結果に基づいて、自装置５０ｃに配信されたコンテンツＣ１０と同じコンテンツが配信された外部端末５０が自装置５０ｃの近傍に存在するか否か、を判定する。
【００６６】
たとえば、外部端末５０ｃに配信されたコンテンツＣ１０と同じコンテンツが配信された外部端末５０が当該外部端末５０ｃの近傍に存在しない旨がステップＳ１２にて判定される場合、当該ステップＳ１２の処理が繰り返される（表示相違部分に関する通知処理（後述のステップＳ１６の処理）は実行されない）。
【００６７】
一方、外部端末５０ｃに配信されたコンテンツＣ１０と同じコンテンツが配信された外部端末５０が当該外部端末５０ｃの近傍に存在する旨がステップＳ１２にて判定される場合、処理はステップＳ１３へと進む。換言すれば、外部端末５０ｃの所持ユーザＵ３による秘匿情報の読み上げに起因して、外部端末５０ｃの近傍に存在する他の外部端末５０の所持ユーザに当該秘匿情報が漏洩し得る状況が発生した場合に、処理はステップＳ１２からステップＳ１３へと進む。
【００６８】
ここでは、外部端末５０ｃは、自装置５０ｃに配信されたコンテンツＣ１０と同じコンテンツが配信された外部端末５０が自装置５０ｃの近傍に存在しない旨をステップＳ１２にて判定する。そして、当該ステップＳ１２の処理が繰り返される。なお、外部端末５０ｃに配信されたコンテンツＣ１０と同じコンテンツが配信された外部端末５０が外部端末５０ｃの近傍に存在する旨がステップＳ１２にて判定される場合の動作については、後述する。
【００６９】
＜ユーザＵ３の近傍にユーザＵ４のみが存在する場合＞
つぎに、ユーザＵ３が外部端末５０ｃを用いてコンテンツＣ１０（Ｃ１１）を閲覧している場合において、当該ユーザＵ３（外部端末５０ｃ）の近傍にユーザＵ４（詳細にはユーザＵ４の外部端末５０ｄ）（のみ）が接近したときには、以下のような動作が行われる。なお、ユーザＵ４は、ユーザＵ３の閲覧権限レベルと同じ閲覧権限レベル（ここではレベル「３」）を有するユーザであり、ユーザＵ４の外部端末５０ｄにおいては、ユーザＵ４の閲覧権限レベル「３」に基づいて、コンテンツＣ１１のうち部分コンテンツＰ１１〜Ｐ１３が表示されている（図８も参照）。
【００７０】
詳細には、図８に示されるように、ユーザＵ３の外部端末５０ｃとユーザＵ４の外部端末５０ｄとにおいては、それぞれ、コンテンツＣ１１のうち部分コンテンツＰ１１〜Ｐ１３が表示されている。この場合、後述するように、外部端末５０ｃ（および外部端末５０ｄ）は、表示相違部分の通知処理（ステップＳ１６）を実行しない。
【００７１】
より詳細には、外部端末５０ｃにおいては、自装置５０ｃに配信されたコンテンツＣ１１と同じコンテンツが配信された外部端末５０（ここでは外部端末５０ｄ）が自装置５０ｃの近傍に存在する旨がステップＳ１２にて判定される。換言すれば、外部端末５０ｃは、所持ユーザＵ３の近傍に他の外部端末５０ｄの所持ユーザ（ここではユーザＵ４）が存在し且つ同一コンテンツＣ１０が自装置５０ｃと外部端末５０ｄとにてそれぞれ表示される旨をステップＳ１２にて判定する。そして、処理はステップＳ１３へと進む。
【００７２】
ステップＳ１３においては、外部端末５０ｃは、検出ユーザ（外部端末５０ｃに配信されたコンテンツＣ１０と同じコンテンツが配信され且つ外部端末５０ｃの近傍に存在する旨が検出（判定）された外部端末５０の所持ユーザ）の閲覧権限レベルを配信サーバ９０から取得する。ここでは、外部端末５０ｃは、外部端末５０ｄの所持ユーザＵ４の閲覧権限レベルを配信サーバ９０から取得する。具体的には、外部端末５０ｃは、外部端末５０ｄの所持ユーザＵ４（検出ユーザ）の閲覧権限レベルの送信要求を配信サーバ９０に送信し、配信サーバ９０は、当該検出ユーザＵ４の閲覧権限レベル（ここではレベル「３」）を外部端末５０ｃに送信する。そして、外部端末５０ｃは、検出ユーザＵ４の閲覧権限レベル「３」を取得する。なお、配信サーバ９０には、各ユーザの閲覧権限レベルが各ユーザの外部端末５０と関連付けて予め登録されているものとする。
【００７３】
そして、処理はステップＳ１４へと進み、外部端末５０ｃは、検出ユーザ（自装置５０ｃの所持ユーザＵ３の近傍に存在する旨が検出されたユーザ（所持ユーザＵ３以外のユーザ））の閲覧権限レベルのうち最も低い閲覧権限レベル（最低閲覧権限レベル）に対応する秘匿レベル（最低秘匿レベル）を取得する。ここでは、ユーザＵ４の閲覧権限レベル「３」に対応する秘匿レベル「３」が、最低秘匿レベルとして取得される。
【００７４】
その後、処理はステップＳ１５へと進み、外部端末５０ｃは、表示相違コンテンツの存否を判定する。当該表示相違コンテンツは、複数の部分コンテンツＰ１１〜Ｐ１３のうち、自装置５０ｃの所持ユーザＵ３の閲覧権限に基づき自装置５０ｃにて表示されており且つ他の外部端末５０の所持ユーザの閲覧権限に基づき当該他の外部端末５０にて表示されていない旨が判定される部分コンテンツである。
【００７５】
具体的には、外部端末５０ｃの所持ユーザＵ３が閲覧権限を有する特定の部分コンテンツ（当該特定の部分コンテンツに含まれる秘匿情報（特定秘匿情報））が外部端末５０ｃと他の外部端末５０との双方で表示されているか否か、が各ユーザの閲覧権限レベルに基づき判定される。
【００７６】
より具体的には、外部端末５０ｃは、自装置５０ｃにて表示されている部分コンテンツごとに、最低秘匿レベルよりも高い秘匿レベルを有するか否か、を判定する。換言すれば、外部端末５０ｃにて表示されている部分コンテンツごとに、表示相違コンテンツであるか否かが判定される。そして、外部端末５０ｃにて表示されている部分コンテンツの中から表示相違コンテンツが特定される場合、外部端末５０ｃに表示相違コンテンツが存在する旨が判定される。
【００７７】
たとえば、ユーザＵ３の閲覧権限レベル以上の閲覧権限レベルを有するユーザのみが当該ユーザＵ３の近傍に存在する場合、ユーザＵ３は、最低閲覧権限レベルと同じレベルあるいは最低閲覧権限レベルよりも低いレベルの閲覧権限レベルを有する。このような場合、外部端末５０ｃにおいては、自装置５０ｃにて表示中のいずれの部分コンテンツも最低秘匿レベルよりも高い秘匿レベルを有しない旨が判定される。外部端末５０ｃにて表示中のいずれの部分コンテンツも最低秘匿レベルよりも高い秘匿レベルを有しない場合、外部端末５０ｃにて表示中のいずれの部分コンテンツも表示相違コンテンツとして特定されず、外部端末５０ｃに表示相違コンテンツが存在しない旨がステップＳ１５にて判定される。換言すれば、外部端末５０ｃの所持ユーザＵ３が閲覧権限を有することに基づき外部端末５０ｃで表示されている全ての部分コンテンツが他の外部端末５０でも表示されている旨が判定される。そして、処理はステップＳ１５からステップＳ１２へと戻る（表示相違部分に関する通知処理（ステップＳ１６）は実行されない）。
【００７８】
一方、ユーザＵ３の閲覧権限レベル以上の閲覧権限レベルを有するユーザのみが当該ユーザＵ３の近傍に存在する場合、ユーザＵ３は、最低閲覧権限レベルよりも高い閲覧権限レベルを有する。このような場合、外部端末５０ｃにおいては、自装置５０ｃにて表示中の部分コンテンツのうち最低秘匿レベルよりも高い秘匿レベルを有する部分コンテンツが表示相違コンテンツとして特定される。そして、外部端末５０ｃに表示相違コンテンツが存在する旨がステップＳ１５にて判定される。換言すれば、外部端末５０ｃの所持ユーザＵ３が閲覧権限を有する特定の部分コンテンツが当該外部端末５０ｃで表示されており且つ当該特定の部分コンテンツが他の外部端末５０（少なくとも最低閲覧権限レベルのユーザの外部端末５０）で表示されていない旨が判定される。そして、処理はステップＳ１５からステップＳ１６へと進む。
【００７９】
ここでは、ユーザＵ３の近傍にはユーザＵ４（ユーザＵ３の閲覧権限レベル（ここではレベル「３」）と同じ閲覧権限レベルを有するユーザ）のみが存在する。そのため、外部端末５０ｃにて表示中の部分コンテンツ（ここでは部分コンテンツＰ１１〜Ｐ１３）のいずれも表示相違コンテンツとして特定されず、外部端末５０ｃに表示相違コンテンツは存在しない旨がステップＳ１５にて判定される。そして、処理はステップＳ１５からステップＳ１２へと戻る（表示相違部分の通知処理（ステップＳ１６）は実行されない（図８参照））。
【００８０】
なお、ユーザＵ４の外部端末５０ｄにおいても、同様の処理が行われる。
【００８１】
このように、外部端末５０の所持ユーザの閲覧権限レベルと同じ閲覧権限レベルを有するユーザのみが当該所持ユーザの近傍に存在する場合には、秘匿情報の漏洩は生じないため、外部端末５０において表示相違部分の通知処理（ステップＳ１６）は実行されない。
【００８２】
＜ユーザＵ３の近傍にユーザＵ１が存在する場合＞
その後、ユーザＵ３（，Ｕ４）がコンテンツＣ１０を閲覧している場合において、ユーザＵ１がユーザＵ３（，Ｕ４）に接近してきたときには、次のような動作が実行される。なお、ユーザＵ１の閲覧権限レベルはレベル「１」であり、上述したように、ユーザＵ１の外部端末５０ａにおいては、ユーザＵ１の閲覧権限レベル「１」に基づいて、コンテンツＣ１１の複数の部分コンテンツＰ１１〜Ｐ１３のうち部分コンテンツＰ１１（秘匿レベル「１」の部分コンテンツ）のみが表示される（図６参照）。
【００８３】
詳細には、ユーザＵ３の外部端末５０ｃ（およびユーザＵ４の外部端末５０ｄ）には、複数の部分コンテンツＰ１１〜Ｐ１３が表示されているものの、ユーザＵ１の外部端末５０ａには、当該複数の部分コンテンツＰ１１〜Ｐ１３のうち部分コンテンツＰ１２，Ｐ１３は表示されていない（図９参照）。この場合、外部端末５０ｃ（および外部端末５０ｄ）は、後述するように、当該部分コンテンツＰ１２，Ｐ１３（表示相違コンテンツ）の表示部分（表示相違部分）を所持ユーザＵ３（，Ｕ４）に通知する（ステップＳ１６）。
【００８４】
より詳細には、外部端末５０ｃは、自装置５０ｃに配信されたコンテンツＣ１０（Ｃ１１）と同じコンテンツが配信された外部端末５０（ここでは外部端末５０ａ，５０ｄ）が自装置５０ｃの近傍に存在する旨をステップＳ１２にて判定する。
【００８５】
そして、外部端末５０ｃは、検出ユーザ（ここではユーザＵ１，Ｕ４）の閲覧権限レベルを配信サーバ９０から取得する（ステップＳ１３）とともに、最低閲覧権限レベルに対応する秘匿レベル（最低秘匿レベル）を取得する（ステップＳ１４）。ここでは、２人の検出ユーザＵ１，Ｕ４の閲覧権限レベルのうち、ユーザＵ１の閲覧権限レベル（ここではレベル「１」）が最低閲覧権限レベルであり、当該最低閲覧権限レベル「１」に対応する秘匿レベル「１」が最低秘匿レベルとして取得される。換言すれば、最低閲覧権限レベルのユーザＵ１の外部端末５０ａでの表示が許容される部分コンテンツの秘匿レベルのうち最も高い秘匿レベルが、最低秘匿レベルとして取得される。
【００８６】
その後、外部端末５０ｃにおいては、自装置５０ｃにて表示されている部分コンテンツＰ１１〜Ｐ１３のうち部分コンテンツＰ１２，Ｐ１３が表示相違コンテンツとして特定されるとともに、自装置５０ｃに表示相違コンテンツが存在する旨がステップＳ１５にて判定される。
【００８７】
詳細には、まず、外部端末５０ｃにおいて現在表示されている部分コンテンツ（ここでは部分コンテンツＰ１１〜Ｐ１３）が特定される。そして、外部端末５０ｃにて表示中の部分コンテンツＰ１１〜Ｐ１３のそれぞれについて、最低秘匿レベル「１」よりも高い秘匿レベルを有するか否かが判定され、当該部分コンテンツＰ１１〜Ｐ１３のうち最低秘匿レベルよりも高い秘匿レベルを有する部分コンテンツが表示相違コンテンツとして特定される。
【００８８】
ここでは、当該部分コンテンツＰ１２（秘匿レベル「２」の部分コンテンツ）は最低秘匿レベル「１」よりも高い秘匿レベルを有する旨が判定され、当該部分コンテンツＰ１２は表示相違コンテンツとして特定される。また、部分コンテンツＰ１３（秘匿レベル「３」の部分コンテンツ）も最低秘匿レベル「１」よりも高い秘匿レベルを有する旨が判定され、当該部分コンテンツＰ１３も表示相違コンテンツとして特定される。一方、部分コンテンツＰ１１（秘匿レベル「１」の部分コンテンツ）は最低秘匿レベル「１」よりも高い秘匿レベルを有さず、当該部分コンテンツＰ１１は表示相違コンテンツとして特定されない。なお、当該部分コンテンツＰ１１は、共通表示コンテンツ（外部端末５０ｃと外部端末５０ａとの双方で表示されている部分コンテンツ）として特定される。
【００８９】
外部端末５０ｃにて表示中の部分コンテンツＰ１１〜Ｐ１３の中から表示相違コンテンツ（ここでは部分コンテンツＰ１２，Ｐ１３）が特定される場合、外部端末５０ｃに表示相違コンテンツが存在する旨がステップＳ１５にて判定される。換言すれば、所持ユーザＵ３が閲覧権限を有する部分コンテンツＰ１２，Ｐ１３（部分コンテンツＰ１２，Ｐ１３に含まれる秘匿情報）が外部端末５０ｃで表示されており且つ当該部分コンテンツＰ１２，Ｐ１３が最低閲覧権限レベルのユーザＵ１の外部端末５０ａで表示されていない旨が、各ユーザＵ１，Ｕ３の閲覧権限に基づき判定される。そして、処理はステップＳ１６へと進む。
【００９０】
ステップＳ１６においては、外部端末５０ｃは、自装置５０ｃのタッチパネル７５における表示相違コンテンツの表示部分（表示相違部分）を自装置５０ｃの所持ユーザＵ３に通知する。具体的には、外部端末５０ｃは、表示相違コンテンツとして特定された部分コンテンツＰ１２，Ｐ１３（最低閲覧権限レベルのユーザの外部端末５０では表示されていない部分コンテンツ）の表示部分（表示相違部分）を自装置５０ｃの所持ユーザＵ３に通知する。より具体的には、外部端末５０ｃは、共通表示コンテンツ（ここでは部分コンテンツＰ１１）の表示態様とは異なる表示態様で表示相違コンテンツ（部分コンテンツＰ１２，Ｐ１３）を表示することによって、当該表示相違部分を所持ユーザＵ３に通知する（図９参照）。ここでは、当該表示相違コンテンツが強調表示（ハイライト表示等）される。
【００９１】
このような動作がユーザＵ３の外部端末５０ｃにて行われる。なお、外部端末５０ｃ以外の外部端末５０（５０ａ，５０ｄ）では、次のような動作が行われる。
【００９２】
具体的には、ユーザＵ４（ユーザＵ３の閲覧権限レベル「３」と同じ閲覧権限レベルを有するユーザ）の外部端末５０ｄにおいては、当該外部端末５０ｃと同様の処理が行われる（図９も参照）。より具体的には、外部端末５０ｄにて表示中の部分コンテンツＰ１１〜Ｐ１３のうち最低秘匿レベル（検出ユーザ（ここではユーザＵ１，Ｕ３）の最低閲覧権限レベルに対応する秘匿レベル（ここではレベル「１」））よりも高い秘匿レベルを有する部分コンテンツＰ１２，Ｐ１３が表示相違コンテンツとして特定される（ステップＳ１５）。そして、外部端末５０ｄにおいて、表示相違コンテンツ（部分コンテンツＰ１２，Ｐ１３）の表示部分（表示相違部分）が所持ユーザＵ４に通知される（ステップＳ１６）。
【００９３】
また、ユーザＵ１の外部端末５０ａにおいては、外部端末５０ａにて表示中の部分コンテンツＰ１１は最低秘匿レベル（検出ユーザ（ここではユーザＵ３，Ｕ４）の最低閲覧権限レベルに対応する秘匿レベル（ここではレベル「３」））よりも高い秘匿レベルを有さず、当該部分コンテンツＰ１１は表示相違コンテンツとして特定されない。換言すれば、外部端末５０ａにおいては、表示相違コンテンツが存在しない旨がステップＳ１５にて判定される。そのため、当該外部端末５０ａにおいては、表示相違部分の通知処理（ステップＳ１６）は実行されない（図９参照）。
【００９４】
なお、ここでは、ユーザＵ３（閲覧権限レベル「３」のユーザ）の近傍にユーザＵ１（閲覧権限レベル「１」のユーザ）が接近した場合の動作が例示されているが、当該ユーザＵ３の近傍にユーザＵ２（閲覧権限レベル「２」のユーザ）が接近した場合は、次のような動作が行われる。
【００９５】
具体的には、ユーザＵ３の外部端末５０ｃにおいては、外部端末５０ｃにて表示されている部分コンテンツＰ１１〜Ｐ１３のうち最低秘匿レベル（この場合は、ユーザＵ２の閲覧権限レベル「２」に対応する秘匿レベル「２」）よりも高い秘匿レベルを有する部分コンテンツＰ１３が表示相違コンテンツとして特定される。そして、外部端末５０ｃは、当該表示相違コンテンツ（部分コンテンツＰ１３）の表示部分（表示相違部分）を所持ユーザＵ３に通知する（図１０参照）。なお、ユーザＵ４の外部端末５０ｄにおいても、同様に、部分コンテンツＰ１３の表示部分（表示相違部分）が当該ユーザＵ４に通知される。
【００９６】
一方、ユーザＵ２の外部端末５０ｂでは、外部端末ｂにて表示中の部分コンテンツＰ１１，Ｐ１２はいずれも、最低秘匿レベル（この場合はレベル「３」）よりも高い秘匿レベルを有しない旨が判定される。換言すれば、外部端末５０ｂにおいては、表示相違コンテンツが存在しない旨がステップＳ１５にて判定される。そのため、当該外部端末５０ｂにおいては、表示相違部分の通知処理（ステップＳ１６）は実行されない（図１０参照）。
【００９７】
以上のように、第１実施形態では、外部端末５０ｃの所持ユーザＵ３が閲覧権限を有する特定の部分コンテンツ（たとえばＰ１３）が外部端末５０ｃで表示されており且つ外部端末５０ａで表示されていない旨が判定される場合、外部端末５０ｃにおける当該特定の部分コンテンツＰ１３の表示部分が所持ユーザＵ３に通知される（図９参照）。そのため、当該所持ユーザＵ３は、自身の外部端末５０ｃに表示されている秘匿情報（当該特定の部分コンテンツ（表示相違コンテンツ）に含まれる秘匿情報）が他の外部端末５０（５０ａ）には表示されていないことを認識することができる。端的に言えば、ユーザＵ３は、当該特定の部分コンテンツ（表示相違コンテンツ）に含まれる秘匿情報を読み上げてはいけないことを認識することができる。したがって、秘匿情報の読み上げに起因する当該秘匿情報の漏洩を抑制することが可能である。
【００９８】
なお、上記第１実施形態では、外部端末５０は、全ての検出ユーザの閲覧権限レベルを配信サーバ９０から取得している（ステップＳ１３）が、これに限定されず、検出ユーザの閲覧権限レベルのうちの最低閲覧権限レベルのみを配信サーバ９０から取得してもよい。たとえば、外部端末５０ｃは、複数の検出ユーザ（たとえばユーザＵ１，Ｕ４）の閲覧権限レベルのうちの最低閲覧権限レベル（たとえばユーザＵ１の閲覧権限レベル「１」）のみを配信サーバ９０から取得するようにしてもよい。
【００９９】
また、上記第１実施形態では、外部端末５０（たとえば外部端末５０ｃ）は、自装置５０の近傍における他の外部端末５０の存否を、配信サーバ９０における判定結果に基づき判定しているが、これに限定されない。たとえば、外部端末５０（５０ｃ）が、自装置５０ｃの近傍における他の外部端末５０の存否を、近距離無線通信用の電波の強度に基づき判定してもよい。
【０１００】
具体的には、各外部端末５０は、近距離無線通信用の電波を発信し、外部端末５０（たとえば外部端末５０ｃ）は、他の外部端末５０から受信した電波の強度が所定程度以上であることを条件に、当該他の外部端末５０が自装置５０ｃの近傍に存在する旨を判定するようにしてもよい。そして、外部端末５０ｃは、検出された外部端末５０の装置情報を配信サーバ９０に送信することによって検出ユーザの閲覧権限レベルを配信サーバ９０から取得するようにしてもよい。なお、外部端末５０の近傍における他の外部端末の存否の判定処理に近距離無線通信が利用される場合、各外部端末５０は、自装置と他の外部端末５０とにて同一のコンテンツが表示されているか否かを、当該近距離無線通信を介して他の外部端末５０に問い合わせることによって判定してもよい。また、外部端末５０の近傍における他の外部端末の存否の判定処理に近距離無線通信が利用される場合、各外部端末５０は、検出ユーザの閲覧権限レベルを、配信サーバ９０からではなく、当該近距離無線通信を介して他の外部端末５０から直接的に取得してもよい。
【０１０１】
＜２．第２実施形態＞
第２実施形態は、第１実施形態の変形例である。以下では、第１実施形態との相違点を中心に説明する。
【０１０２】
上記第１実施形態では、外部端末５０が、表示相違部分の通知に関する制御（図７の各処理）を行っている。
【０１０３】
これに対して、この第２実施形態では、配信サーバ９０が、表示相違部分の通知に関する制御（図１１の各処理）を行う。
【０１０４】
図１１は、配信サーバ９０の動作（表示相違部分の通知処理等）を示すフローチャートである。配信サーバ９０は、コンテンツＣ１０を配信した外部端末５０ごとに当該図１１の処理を実行する。たとえば、配信サーバ９０が複数の外部端末５０にコンテンツＣ１０を配信した場合、配信サーバ９０においては、当該複数の外部端末５０のそれぞれについて図１１の処理が実行される。なお、ここでは、外部端末５０ｃについて図１１の処理が実行される場合の動作を例示する。
【０１０５】
具体的には、ステップＳ２２においては、配信サーバ９０は、コンテンツＣ１０（Ｃ１１）を配信した特定の外部端末５０（図１１の処理の処理対象の外部端末５０）の近傍に同一コンテンツＣ１１を配信した他の外部端末５０が存在するか否か、を判定する。より具体的には、配信サーバ９０が外部端末５０ａと外部端末５０ｃとにコンテンツＣ１１を配信した場合、当該配信サーバ９０は、各外部端末５０ａ，５０ｃの位置情報に基づいて、当該外部端末５０ｃの近傍に外部端末５０ａが存在するか否か、を判定する。
【０１０６】
たとえば、当該外部端末５０ｃの近傍に同一コンテンツＣ１１を配信した他の外部端末５０が存在しない場合、ステップＳ２２の処理が繰り返され、当該外部端末５０ｃの所持ユーザＵ３に関する表示相違部分の通知処理（ステップＳ２６）は実行されない。
【０１０７】
一方、当該外部端末５０ｃの近傍に同一コンテンツＣ１１を配信した他の外部端末５０（たとえば外部端末５０ａ）が存在する場合、配信サーバ９０は、検出ユーザ（外部端末５０ｃの所持ユーザＵ３の近傍に存在する旨が検出されたユーザ（ユーザＵ３以外のユーザ））の閲覧権限レベルを取得する（ステップＳ２３）。そして、配信サーバ９０は、検出ユーザの閲覧権限レベルのうち最低閲覧権限レベルに対応する秘匿レベル（最低秘匿レベル）を取得し、処理はステップＳ２５へと進む。
【０１０８】
ステップＳ２５においては、配信サーバ９０は、外部端末５０ｃにおける表示相違コンテンツの存否を判定する。詳細には、配信サーバ９０は、外部端末５０ｃの所持ユーザＵ３が閲覧権限を有する特定の部分コンテンツ（当該特定の部分コンテンツに含まれる秘匿情報（特定秘匿情報））が当該外部端末５０ｃと他の外部端末５０との双方で表示されているか否か、を各ユーザの閲覧権限レベルに基づき判定する。
【０１０９】
より詳細には、配信サーバ９０は、外部端末５０ｃにて表示中の部分コンテンツ（ここでは部分コンテンツＰ１１〜Ｐ１３）ごとに、最低秘匿レベルよりも高い秘匿レベルを有するか否かを判定する。換言すれば、外部端末５０ｃにて表示されている部分コンテンツごとに、表示相違コンテンツであるか否かが判定される。そして、外部端末５０ｃにて表示されている部分コンテンツの中から表示相違コンテンツが特定される場合、外部端末５０ｃに表示相違コンテンツが存在する旨が判定される。
【０１１０】
たとえば、ユーザＵ３の近傍にユーザＵ４（閲覧権限レベル「３」のユーザ）のみが存在する場合（図８参照）、検出ユーザＵ４の閲覧権限レベル「３」に対応する秘匿レベル「３」が、最低秘匿レベルとして取得される（ステップＳ２４）。この場合、配信サーバ９０は、外部端末５０ｃにて表示中の部分コンテンツＰ１１〜Ｐ１３のいずれも最低秘匿レベル「３」よりも高い秘匿レベルを有しない旨を判定する。換言すれば、外部端末５０ｃに表示相違コンテンツが存在しない旨がステップＳ２５にて判定される。そして、処理はステップＳ２２へと戻る（表示相違部分の通知処理（ステップＳ２６）は実行されない（図８も参照））。
【０１１１】
これに対して、たとえば当該ユーザＵ３の近傍にユーザＵ１（閲覧権限レベル「１」のユーザ）が存在する場合（図９参照）、検出ユーザＵ１の閲覧権限レベル「１」に対応する秘匿レベル「１」が最低秘匿レベルとして取得される（ステップＳ２４）。この場合、配信サーバ９０は、外部端末５０ｃにて表示中の部分コンテンツＰ１１〜Ｐ１３のうち最低秘匿レベル「１」よりも高い秘匿レベルの部分コンテンツ（ここでは部分コンテンツＰ１２，Ｐ１３）を表示相違コンテンツとして特定する。そして、外部端末５０ｃに表示相違コンテンツが存在する旨がステップＳ２５にて判定される。換言すれば、所持ユーザＵ３が閲覧権限を有する部分コンテンツＰ１２，Ｐ１３（部分コンテンツＰ１２，Ｐ１３に含まれる秘匿情報）が外部端末５０ｃで表示されており且つ当該部分コンテンツＰ１２，Ｐ１３が最低閲覧権限レベルのユーザＵ１の外部端末５０ａで表示されていない旨が、各ユーザＵ１，Ｕ３の閲覧権限に基づき判定される。そして、処理はステップＳ２６へと進む。
【０１１２】
ステップＳ２６においては、配信サーバ９０は、表示相違コンテンツ（外部端末５０ｃにて表示されている部分コンテンツＰ１１〜Ｐ１３のうち最低秘匿レベルよりも高い秘匿レベルの部分コンテンツ）の表示部分（表示相違部分）を、外部端末５０ｃの所持ユーザＵ３に通知する。ここでは、表示相違コンテンツとして特定された部分コンテンツＰ１２，Ｐ１３の表示部分（表示相違部分）が外部端末５０ｃの所持ユーザＵ３に通知される。
【０１１３】
詳細には、配信サーバ９０は、表示相違コンテンツ（部分コンテンツＰ１２，Ｐ１３）を強調表示すべき旨の強調表示指令を外部端末５０ｃに通知し、外部端末５０ｃは、当該強調表示指令に応答して、当該部分コンテンツＰ１２，Ｐ１３を強調表示する（図９参照）。なお、これに限定されず、部分コンテンツＰ１２，Ｐ１３が強調表示されたコンテンツＣ１１が配信サーバ９０から外部端末５０ｃに配信（再配信）されてもよい。
【０１１４】
このような動作（外部端末５０ｃについての図１１の処理）が配信サーバ９０において実行される。なお、外部端末５０ｃ以外の外部端末５０（５０ａ，５０ｄ）についても、図１１の処理は実行される。
【０１１５】
たとえば、ユーザＵ４（ユーザＵ３の閲覧権限レベル「３」と同じ閲覧権限レベルを有するユーザ）の外部端末５０ｄについては、配信サーバ９０は、当該外部端末５０ｃについての図１１の処理と同様の処理を実行する（図９も参照）。詳細には、外部端末５０ｄにて表示中の部分コンテンツＰ１１〜Ｐ１３のうち最低秘匿レベル（検出ユーザ（ここではユーザＵ１，Ｕ３）の最低閲覧権限レベルに対応する秘匿レベル（ここではレベル「１」））よりも高い秘匿レベルを有する部分コンテンツＰ１２，Ｐ１３が表示相違コンテンツとして特定される（ステップＳ２５）。そして、配信サーバ９０は、当該部分コンテンツＰ１２，Ｐ１３の表示部分（表示相違部分）を所持ユーザＵ４に通知する（ステップＳ２６）。
【０１１６】
また、ユーザＵ１の外部端末５０ａについては、配信サーバ９０は、外部端末５０ａにて表示中の部分コンテンツＰ１１は最低秘匿レベル（検出ユーザ（ここではユーザＵ３，Ｕ４）の最低閲覧権限レベルに対応する秘匿レベル（ここではレベル「３」））よりも高い秘匿レベルを有しない旨をステップＳ２５にて判定する。換言すれば、外部端末５０ａに表示相違コンテンツが存在しない旨がステップＳ２５にて判定される。そして、配信サーバ９０は、当該外部端末５０ａの所持ユーザＵ１に関して、表示相違部分の通知処理（ステップＳ２６）を実行しない（図９参照）。
【０１１７】
このように、第２実施形態では、配信サーバ９０が、外部端末５０の所持ユーザに対する表示相違部分の通知に関する処理を実行する。
【０１１８】
＜３．第３実施形態＞
第３実施形態は、第１実施形態の変形例である。以下では、第１実施形態との相違点を中心に説明する。
【０１１９】
上記第１実施形態では、コンテンツＣ１０に含まれる秘匿情報（当該秘匿情報を含む部分コンテンツ）が、外部端末５０（タブレット型端末）にて表示されている。
【０１２０】
これに対して、この第３実施形態では、コンテンツＣ１０に含まれる秘匿情報（秘匿情報を含む部分コンテンツ）が、眼鏡型デバイス７０（図１２参照）にて表示される。
【０１２１】
図１２は、第３実施形態に係る情報表示システム１（１Ｂ）を示す図である。情報表示システム１Ｂは、配信サーバ９０と眼鏡型デバイス７０とプロジェクタ装置３０（投影装置）とを有する。当該情報表示システム１Ｂにおいて、各要素３０，７０，９０は、ネットワーク１０８を介して互いに接続される。
【０１２２】
この第３実施形態では、眼鏡型デバイス７０とプロジェクタ装置３０とを用いたコンテンツ表示が行われる。
【０１２３】
具体的には、プロジェクタ装置３０は、配信サーバ９０から受信したコンテンツＣ１０（Ｃ１２）をスクリーン２００（図１２）に表示（投影）する。
【０１２４】
ただし、配信サーバ９０は、コンテンツＣ１２の複数の部分コンテンツ（ここでは３つの部分コンテンツＰ１１〜Ｐ１３）のうち非秘匿情報のみを含む部分コンテンツ（秘匿レベル「１」の部分コンテンツ（たとえば部分コンテンツＰ１１））をプロジェクタ装置３０に配信する。そして、プロジェクタ装置３０は、当該部分コンテンツＰ１１をスクリーン２００に表示する（図１３参照）。
【０１２５】
これに対して、配信サーバ９０は、複数の部分コンテンツ（Ｐ１１〜Ｐ１３）のうち秘匿情報を含む部分コンテンツを、プロジェクタ装置３０ではなく、各ユーザの眼鏡型デバイス７０に配信する。そして、コンテンツＣ１０（Ｃ１２）に含まれる秘匿情報（秘匿情報を含む部分コンテンツ）は、各ユーザの眼鏡型デバイス７０（詳細には表示部８５（図１２））に表示される。なお、眼鏡型デバイス７０の表示部８５は、眼鏡型デバイス７０のレンズ部分に設けられており、配信サーバ９０から取得された部分コンテンツ（秘匿情報を含む部分コンテンツ）は、所持ユーザ（装着ユーザ）以外のユーザからは見えないように表示される。また、表示部８５は、透過性を有し、後述するように、拡張現実技術等を用いて、配信サーバ９０から取得した部分コンテンツをスクリーン２００における付加画像２５０（図１３）の配置位置に表示（重畳表示）する。これにより、所持ユーザは、自身の眼鏡型デバイス７０越しにスクリーン２００（コンテンツＣ１２）を閲覧した結果、表示部８５に表示された部分コンテンツ（秘匿情報を含む部分コンテンツ）がスクリーン２００に（付加画像２５０の配置位置に）重畳して表示されているように見える。
【０１２６】
具体的には、配信サーバ９０からプロジェクタ装置３０に配信されてスクリーン２００に表示されるコンテンツＣ１２には、部分コンテンツＰ１１とともに、付加画像２５０（拡張現実技術におけるマーカ画像、あるいは二次元バーコード等）が含まれている。当該付加画像２５０には、コンテンツＣ１２に含まれる秘匿情報（秘匿情報を含む部分コンテンツ）の送信要求を配信サーバ９０に送信すべき旨の送信要求指令が書き込まれている。
【０１２７】
そして、各ユーザは、自身の眼鏡型デバイス７０にログインするとともに、当該眼鏡型デバイス７０を装着した状態でスクリーン２００を見る（閲覧する）。なお、眼鏡型デバイス７０へのログインは、たとえばリストバンド型の認証装置（ウエアラブル端末等）（不図示）によって取得された認証情報（所持ユーザの生体情報等）に基づくユーザ認証により実行される。
【０１２８】
そして、眼鏡型デバイス７０は、スクリーン２００に表示された付加画像２５０を自装置７０に設けられたカメラ（不図示）等を用いて検出するとともに、付加画像２５０から送信要求指令を読み取り、秘匿情報を含む部分コンテンツの送信要求を配信サーバ９０に送信する。
【０１２９】
当該配信サーバ９０は、眼鏡型デバイス７０からの送信要求に応答して、当該眼鏡型デバイス７０の所持ユーザの閲覧権限レベルに応じた部分コンテンツを当該眼鏡型デバイス７０（要求元の眼鏡型デバイス）に送信（配信）する。
【０１３０】
たとえば、配信サーバ９０は、閲覧権限レベル「３」を有するユーザＵ３，Ｕ４の眼鏡型デバイス７０ｃ，７０ｄに対しては、当該ユーザＵ３が閲覧権限を有する部分コンテンツ（ここでは部分コンテンツＰ１２，Ｐ１３）を配信する。そして、眼鏡型デバイス７０ｃ，７０ｄは、当該部分コンテンツＰ１２，Ｐ１３を自装置７０ｃ、７０ｄの表示部８５に表示する。これにより、ユーザＵ３，Ｕ４は、自身の眼鏡型デバイス７０ｃ，７０ｄ越しにスクリーン２００（コンテンツＣ１２）を閲覧した結果、スクリーン２００において部分コンテンツＰ１２，Ｐ１３が部分コンテンツＰ１１の下部（付加画像２５０の配置位置）に重畳して表示されているように見える（図１３も参照）。
【０１３１】
また、配信サーバ９０は、閲覧権限レベル「１」を有するユーザＵ１の眼鏡型デバイス７０ａに対しては、部分コンテンツＰ１２，Ｐ１３の閲覧権限を当該ユーザＵ１が有しないことに基づき当該部分コンテンツＰ１２，Ｐ１３を送信しない。そのため、ユーザＵ１の眼鏡型デバイス７０ａでは、部分コンテンツＰ１２，Ｐ１３は表示されず、ユーザＵ１は、部分コンテンツＰ１２，Ｐ１３に含まれる秘匿情報を閲覧することができない。
【０１３２】
このようにして、眼鏡型デバイス７０を用いたコンテンツ表示（外部端末５０の所持ユーザの閲覧権限レベルに応じた表示切替処理）が行われる。
【０１３３】
そして、この第３実施形態では、各眼鏡型デバイス７０において、第１実施形態と同様に、図７の処理が実行される。なお、第３実施形態における眼鏡型デバイス７０の動作（図７の処理内容）は、第１実施形態における外部端末５０の動作（図７の処理内容）と同様である。
【０１３４】
たとえば、ユーザＵ３が閲覧権限を有する部分コンテンツＰ１２，Ｐ１３が、当該ユーザＵ３の眼鏡型デバイス７０ｃで表示されており且つ他の眼鏡型デバイス７０で表示されていない旨がステップＳ１５にて判定される場合、当該眼鏡型デバイス７０ｃは、当該部分コンテンツＰ１２，Ｐ１３の表示部分をユーザＵ３に通知する（ステップＳ１６）。詳細には、眼鏡型デバイス７０ｃは、当該部分コンテンツＰ１２，Ｐ１３（表示相違コンテンツ）を強調表示する（たとえばハイライト表示する）（図１３参照）ことによって、当該部分コンテンツＰ１２，Ｐ１３の表示部分（表示相違部分）を所持ユーザＵ３に通知する。
【０１３５】
以上のように、第３実施形態では、コンテンツＣ１０に含まれる秘匿情報（秘匿情報を含む部分コンテンツ）の表示装置として、眼鏡型デバイス７０が用いられる。
【０１３６】
なお、ここでは、上記第３実施形態を第１実施形態の変形例として例示したが、これに限定されず、上記第３実施形態の思想が第２実施形態に適用されてもよい。
【０１３７】
＜４．変形例等＞
以上、この発明の実施の形態について説明したが、この発明は上記内容のものに限定されるものではない。
【０１３８】
＜表示相違部分の通知開始条件に関する変形例＞
たとえば、上記各実施形態等においては、表示相違コンテンツが存在する旨がステップＳ１５（Ｓ２５）にて判定される場合、或る表示装置における当該表示相違コンテンツの表示部分（表示相違部分）が当該或る表示装置の所持ユーザに直ちに通知されている（ステップＳ１６（Ｓ２６））。
【０１３９】
しかしながら、本願発明はこれに限定されず、表示相違コンテンツが存在する旨がステップＳ１５（Ｓ２５）にて判定される場合、当該或る表示装置においてユーザの発声が検出されたことを条件に、表示相違部分が当該或る表示装置の所持ユーザに通知されるようにしてもよい。
【０１４０】
具体的には、たとえば第１実施形態において、外部端末５０ｃに表示相違コンテンツが存在する旨がステップＳ１５にて判定される場合、ユーザの発声が検出されたことを条件に、表示相違部分が外部端末５０ｃの所持ユーザＵ３に通知されてもよい。
【０１４１】
図１４は、この変形例に係る外部端末５０（たとえば外部端末５０ｃ）の動作を示すフローチャートである。図１４に示されるように、ここでは、上記第１実施形態（図７参照）のステップＳ１５とステップＳ１６との間に、ステップＳ２０の処理か実行される。
【０１４２】
具体的には、外部端末５０ｃは、表示相違コンテンツが自装置５０ｃに存在する旨がステップＳ１５にて判定される場合、表示相違部分の通知処理（ステップＳ１６）を直ちに実行するのではなく、ユーザの発声の検出を待機する（ステップＳ２０）。なお、外部端末５０は、ユーザの発声を検出することが可能な検出部（マイク等）を有する。
【０１４３】
そして、外部端末５０ｃにおいて当該発声が検出されたことを条件に、処理はステップＳ２０からステップＳ１６へと進み、外部端末５０ｃは、表示相違部分（表示相違コンテンツの表示部分）を所持ユーザＵ３に通知する（図９参照）。
【０１４４】
このように、或る外部端末５０（５０ｃ）で表示されている秘匿情報が他の外部端末５０で表示されていない場合であっても、当該秘匿情報の読み上げに起因して当該秘匿情報が漏洩し得る状況が生じるまでは、表示相違部分が当該所持ユーザに通知されないようにしてもよい。端的に言えば、外部端末５０ｃの所持ユーザＵ３が、自身の外部端末５０ｃに表示されたコンテンツＣ１０を閲覧しているだけである場合（発言を行っていない場合）には、表示相違部分が当該所持ユーザＵ３に通知されないようにしてもよい。そして、秘匿情報の読み上げに起因して当該秘匿情報が漏洩し得る状況が生じたことを条件に、表示相違部分が当該所持ユーザＵ３に通知されるようにしてもよい。
【０１４５】
なお、ここでは、この変形例に係る思想（ユーザの発声を条件に表示相違部分を通知する思想）を第１実施形態に適用した場合について例示しているが、これに限定されず、この変形例に係る思想が他の実施形態等に適用されてもよい。
【０１４６】
＜表示相違コンテンツの秘匿レベルの設定変更に関する変形例＞
また、上記各実施形態等において、さらに、或る表示装置（外部端末５０あるいは眼鏡型デバイス７０）で表示されている表示相違コンテンツの秘匿レベルが、当該或る表示装置の所持ユーザによる設定変更操作に応じて変更されるようにしてもよい。
【０１４７】
たとえば、第１実施形態において、或る外部端末５０（たとえば外部端末５０ｃ）で表示されている表示相違コンテンツの秘匿レベルが、所持ユーザＵ３による設定変更操作に応じて変更されるようにしてもよい。
【０１４８】
具体的には、ステップＳ１６において、外部端末５０ｃは、表示相違部分（たとえば部分コンテンツＰ１２，Ｐ１３）を所持ユーザＵ３に通知するとともに、変更ボタン３００（図１５参照）を表示する。なお、外部端末５０ａでは、表示相違部分（ここでは部分コンテンツＰ１２，Ｐ１３）は表示されておらず、当該変更ボタン３００は表示されない。
【０１４９】
当該変更ボタン３００（３０１，３０２）は、表示相違部分（ここでは部分コンテンツＰ１２，Ｐ１３）の秘匿レベルに関する設定を変更するためのボタンである。詳細には、当該変更ボタン３０１は、表示相違部分のうち部分コンテンツＰ１２の秘匿レベル（ここではレベル「２」）を変更するためのボタンである。また、変更ボタン３０２は、表示相違部分のうち部分コンテンツＰ１３の秘匿レベル（ここではレベル「３」）を変更するためのボタンである。
【０１５０】
たとえば、部分コンテンツＰ１２（秘匿レベル「２」の部分コンテンツ）に含まれる秘匿情報をユーザＵ１（閲覧権限レベル「１」のユーザ）が閲覧しても構わないと外部端末５０ｃの所持ユーザＵ３が判断した場合、当該所持ユーザＵ３は、部分コンテンツＰ１２の秘匿レベルを現在のレベル「２」からレベル「１」に変更する。なお、ユーザＵ３は、ユーザＵ１の閲覧権限レベルを予め知得しているものとする。
【０１５１】
具体的には、当該所持ユーザＵ３は、部分コンテンツＰ１２に対応する変更ボタン３０１を押下する。ユーザＵ３の外部端末５０ｃは、当該変更ボタン３０１の押下操作に応答して、部分コンテンツＰ１２の秘匿レベルを変更するための設定変更画面３５０を表示する（図１６参照）。そして、当該設定変更画面３５０において、当該所持ユーザＵ３は、部分コンテンツＰ１２の秘匿レベルを、現在のレベル「２」から、外部端末５０ａのユーザＵ１が閲覧可能なレベル（レベル「１」）に変更する設定変更操作を行う。
【０１５２】
そして、当該所持ユーザＵ３による当該設定変更操作に応じて、部分コンテンツＰ１２の秘匿レベルが、現在の秘匿レベル「２」から新たなレベル「１」に変更される。具体的には、外部端末５０ｃは、部分コンテンツＰ１２の秘匿レベルがレベル「１」に変更された旨の変更通知を配信サーバ９０に送信し、配信サーバ９０は、当該変更通知に基づいて、部分コンテンツＰ１２の秘匿レベルを現在のレベル「２」から新たなレベル「１」に変更する。そして、配信サーバ９０は、コンテンツＣ１０の更新要求を各外部端末５０に送信する（あるいは更新後のコンテンツＣ１０を各外部端末５０に配信（再配信）する）。
【０１５３】
その結果、ユーザＵ１の外部端末５０ａにおいては、当該部分コンテンツＰ１２の新たな秘匿レベル「１」と所持ユーザＵ１の閲覧権限レベル「１」とに基づいて、当該部分コンテンツＰ１２（部分コンテンツＰ１２に含まれる秘匿情報）が表示される（図１７参照）。なお、部分コンテンツＰ１２の秘匿レベルがレベル「２」からレベル「１」に変更されたことに伴って、外部端末５０ｃにおいては、当該部分コンテンツＰ１２は表示相違コンテンツから除外され、当該部分コンテンツＰ１２における強調表示は解除される。
【０１５４】
このように、表示相違部分が表示されている外部端末５０（５０ｃ）の所持ユーザ（Ｕ３）による設定変更操作に応じて、当該表示相違部分の秘匿レベルが変更されるようにしてもよい。
【０１５５】
なお、ここでは、この変形例に係る思想（表示相違部分の秘匿レベルの設定変更に関する思想）を第１実施形態に適用した場合について例示されているが、これに限定されず、この変形例に係る思想が他の実施形態等に適用されてもよい。
【０１５６】
＜非表示特定コンテンツの存在の通知に関する変形例＞
また、上記各実施形態等において、さらに、或る表示装置（外部端末５０あるいは眼鏡型デバイス７０）において非表示特定コンテンツ（次述）が存在する場合、当該非表示特定コンテンツの存在が当該或る表示装置の所持ユーザに通知されるようにしてもよい。非表示特定コンテンツは、或る表示装置の所持ユーザの閲覧権限に基づき当該或る表示装置での表示が許容され且つ他の表示装置の所持ユーザの閲覧権限に基づき当該他の表示装置での表示が禁止される部分コンテンツであって、当該或る表示装置の現時点での表示対象領域に含まれず当該或る表示装置に現時点では表示されていない部分コンテンツである。
【０１５７】
図１８は、非表示特定コンテンツの存在の通知等を示す図である。
【０１５８】
たとえば、外部端末５０（たとえば外部端末５０ｃ）の所持ユーザＵ３がコンテンツＣ１０の複数の部分コンテンツＰ２１〜Ｐ２６（図１８参照）の閲覧権限を有する場合、外部端末５０ｃでの当該複数の部分コンテンツＰ２１〜Ｐ２６の表示は許容される。一方、たとえば他の外部端末５０（たとえば外部端末５０ａ）の所持ユーザＵ１が当該複数の部分コンテンツＰ２１〜Ｐ２６のうち部分コンテンツＰ２６の閲覧権限を有しない場合、外部端末５０ａでの当該部分コンテンツＰ２６の表示は禁止される（許容されない）。
【０１５９】
このような部分コンテンツＰ２６が現時点で外部端末５０ｃにて表示中のページ（表示対象領域）に含まれていない場合、当該外部端末５０ｃは、非表示特定コンテンツ（ここでは部分コンテンツＰ２６）の存在を所持ユーザＵ３に通知する。換言すれば、外部端末５０ｃは、自装置５０ｃにて現在表示中のページ以外のページ（たとえば次のページ）に当該非表示特定コンテンツが存在する場合、当該非表示特定コンテンツの存在を現在表示中のページにおいて所持ユーザＵ３に通知する。詳細には、外部端末５０ｃは、非表示特定コンテンツが存在する旨を通知する通知マーク４００（図１８参照）を、現在表示中のページ（表示対象領域）における空白領域に表示する。
【０１６０】
これによれば、外部端末５０（５０ｃ）の所持ユーザ（Ｕ３）は、自身の外部端末５０での表示が許容され且つ他の外部端末５０での表示が禁止される部分コンテンツ（非表示特定コンテンツ）が存在する旨を予め認識した上で、コンテンツＣ１０に関する発言（発表等）を行うことが可能である。換言すれば、外部端末５０ｃの所持ユーザＵ３は、たとえば現在表示中のページ以外（以降）のページが各外部端末５０で表示された際に自身の外部端末５０ｃで表示されるものの他の外部端末５０で表示されない部分コンテンツが存在する旨を予め認識した上で、コンテンツＣ１０に関する発言（発表等）を行うことが可能である。
【０１６１】
＜表示相違部分の通知手法に関する変形例＞
さらに、上記各実施形態等においては、表示相違コンテンツを共通表示コンテンツよりも強調して表示（ハイライト表示、ハッチング表示あるいは点滅表示等）することによって、表示相違部分（表示相違コンテンツの表示部分）が表示装置（たとえば外部端末５０ｃ）の所持ユーザに通知されているが、これに限定されない。たとえば、表示相違コンテンツに含まれる文字のフォント種類を共通表示コンテンツに含まれる文字のフォント種類とは異なるフォント種類に変更する（たとえばゴシック体から特殊なフォント種類（行書体、「Impact」あるいは「Gabriola」等）に変更する）ことによって、当該表示相違部分が当該所持ユーザに通知されるようにしてもよい（図１９参照）。
【０１６２】
＜その他＞
また、上記各実施形態等においては、或る表示装置に配信されたコンテンツと同一コンテンツが配信された他の表示装置が存在し且つ当該他の表示装置が当該或る表示装置の近傍に存在するか否かがステップＳ１２（Ｓ２２）にて判定されているが、これに限定されない。たとえば、当該他の表示装置が当該或る表示装置の近傍に存在するか否かは判定されず、或る表示装置に配信されたコンテンツと同一コンテンツが配信された他の表示装置が存在するか否か（のみ）がステップＳ１２（Ｓ２２）にて判定されるようにしてもよい。
【符号の説明】
【０１６３】
１，１Ａ，１Ｂ  情報表示システム
５０  外部端末
７０  眼鏡型デバイス
９０  配信サーバ
Ｃ１０〜Ｃ１２  コンテンツ
Ｐ１１〜Ｐ１３  部分コンテンツ
【図１】
2018197905.tif 000003
【図２】
2018197905.tif 000004
【図３】
2018197905.tif 000005
【図４】
2018197905.tif 000006
【図５】
2018197905.tif 000007
【図６】
2018197905.tif 000008
【図７】
2018197905.tif 000009
【図８】
2018197905.tif 000010
【図９】
2018197905.tif 000011
【図１０】
2018197905.tif 000012
【図１１】
2018197905.tif 000013
【図１２】
2018197905.tif 000014
【図１３】
2018197905.tif 000015
【図１４】
2018197905.tif 000016
【図１５】
2018197905.tif 000017
【図１６】
2018197905.tif 000018
【図１７】
2018197905.tif 000019
【図１８】
2018197905.tif 000020
【図１９】
2018197905.tif 000021